(57)【要約】      （修正有）【課題】上下するシーソー装置による人形の動きに連動する、回転する人形などを付設させ、使用する幼児が、より一層の興味をそそるようにする。【解決手段】長方形の箱型車１に前後２組の車輪２、３を設け、その上に、前部に動物などの模型を固設した複数個のシーソー装置７を配し、後部の車輪３の車軸４に設けた複数個のシーソー操作突起をシーソー装置の後部に順次当てて、所定の順番に従ってシーソー装置を繰り返し上下させながら音響を出させる幼児用押し車において、後部車輪の車軸の回転によって連動する、人形１５などの模型玩具を付設した直立回転軸１２を設ける。【選択図】図１
0003139826.tif 000002
【実用新案登録請求の範囲】
【請求項１】
本考案は、長方形の箱型車に前後２組の車輪を設け、その上に、前部に動物などの模型を固設した複数個のシーソー装置を配し、後部の車輪の車軸に設けた複数個のシーソー操作突起をシーソー装置の後部に順次当てて、所定の順番に従ってシーソー装置を繰り返し上下させながら音響を出させる幼児用押し車において、
後部車輪の車軸の回転によって連動する、人形などの模型玩具を付設した直立回転軸を設けたことを特徴とする幼児用押し車。
【考案の詳細な説明】
【技術分野】
【０００１】  本考案は、「かたかた押し車」と呼ばれている幼児用押し車に、複数個のシーソー装置によって動く動物や人形のほかに、直立した人形などを回転自在に付設して連動させるようにした幼児用押し車の改良に関するものである。
【背景技術】
【０００２】  従来から、通称「かたかた押し車」と呼ばれる木製の幼児用押し車玩具の改良については、動物や人形を、車輪の動きに連動させていないいないバーの動きをさせるものがある。（例えば特許文献１）【０００３】
【特許文献１】特開２００５−０５４５９６号
【考案の開示】
【考案が解決しようとする課題】
【０００４】  古くから馴染のる幼児用押し車「かたかた」は、長方形の箱型車に前後２組の車輪を設けた押し車に、あひるなどを模した模型を載せた複数個のシーソー装置を設けて、手押しして歩くと、後部の車輪の車軸に設けた対する複数個のシーソー操作突起にシーソー装置の後部が順次当って、所定の順番に従ってシーソー装置を上下させながら音響を出させるものである。これらの動きはきわめて単純で、幼児にとっては面白味が少なく飽きられ易いという問題点があった。【０００５】  そこで、順番に上下するシーソー装置による人形の動きとともに、回転する人形などを付設して連動させ、使用する幼児が、より一層の興味をそそるようにすることを課題とした。
【課題を解決するための手段】
【０００６】
【０００７】  本考案は、長方形の箱型車に前後２組の車輪を設け、その上に、前部に動物などの模型を固設した複数個のシーソー装置を配し、後部の車輪の車軸に設けた複数個のシーソー操作突起をシーソー装置の後部に順次当てて、所定の順番に従ってシーソー装置を繰り返し上下させながら音響を出させる幼児用押し車において、後部車輪の車軸の回転によって連動する、人形などの模型玩具を付設した直立回転軸を設ける。
【考案の効果】
【０００８】  従来からある幼児用かたかた押し車のもっている、シーソー装置によるかたかた上下運動に加えて、連動する直立回転軸を設けている。従って、この直立回転軸に人形を付設すれば、押し車を押して歩く幼児から見ると、人形はくるくると回転してくれることになる。【０００９】  また、その人形をバレリーナーとして、その手足をぶらぶらと遊動自在にしておけば、回転と同時に、その手や足は遠心力を受けて回旋することとなるから、その動きを見た幼児の喜びは大いに期待できる。【００１０】  あるいは、人形の代わりにプロペラを付設し、その基部にヘリコプターを配したものでは、幼児用押し車を押して歩くと、ヘリコプターがプロペラを廻して動くようにも見え、この動きも幼児の喜びを高めることが期待できる。【００１１】  以上の他にも各種の利用法が容易に案出されるが、それらのいくつかを複数個準備しておいて、必要において取り換えて使うことも可能であり、従来の幼児用押し車がもっていた、すぐに飽きられてしまうという単調さを十分に解決することが出来る。
【考案を実施するための最良の形態】
【００１２】  本考案を実施するための最良の形態について述べる。
【実施例】
【００１３】  本考案は、長方形の箱型車１の両側に前車輪２と後車輪３を設ける。後車輪３はやや太い車軸４の両端に固設され、後車輪３と同時に車軸４も回転する。車軸４には、棒状の操作突起５を設け、支点軸６によって支持されるシーソー７の後端８に当てて、シーソー７の上下操作ができるようにする。【００１４】  シーソーの前端９には、動物などの模型１０を固設し、その下方には、箱型車１の上面に張った音響板１１を設ける。音響板１１は、単なる板であってもよいし、シロホンなどの発音体であってもよく、シーソー７の上下によって音響を発するようにする。【００１５】  シーソー７の動きは、後車輪３の１回転で、左右のシーソー７の前端９の下端が音響板１１に当たって、それぞれ２回ずつ音響を発するようにするのが好ましい。そのために、車軸４に設ける操作突起５の位置は、左右とも１８０°間隔に設け、左右の操作突起５の位置関係は相互に９０°ずらしておく。これによって、後車輪３の１回転ごとに４回の音響を等間隔に発することとなる。【００１６】  次に、支点軸６の中央少し前方の箱型車１位置に、直立した直立回転軸１２を回転自在に設ける。直立回転軸１２には、車軸４の回転に連動して直立回転軸１２が回転するように、ゴムベルト１３をかける。【００１７】  以上の構成で、本考案の幼児用押し車は、長方形の箱型車１に設けた押し手１４を持って前方に歩くと、後車輪３の回転を受けて車軸４が回転して操作突起５がシーソー７の後端８に当たるとともに、ゴムベルト１３によって直立回転軸１２も回転することとなる。尚、ゴムベルト１３は、車軸４の動きを直立回転軸１２に伝えるためのもであるから、傘型歯車を利用してもよい。【００１８】  直立回転軸１２には、人形などを取り付けるが、その例としては、手と足がぶらぶらと自由動きの可能な人形１５を一体的に取り付ける。この人形１５をたとえばバレリーナとすると、直立回転軸１２の回転の速度によって、手と足は遠心力を受けて大きく開いたり小さく開いたりする。【００１９】  次の一例は、ヘリコプター玩具を模したものである。第２図において、箱型車１の後方の上面中央に玩具のヘリコプター機体１６を設け、そのプロペラ１７の回転軸１８を、直立回転軸１２の上部に一体的に構成する。これによって、幼児用押し車を前方に動かすと、ヘリコプター機体１６は動かない状態でプロペラ１７が回転するので、あたかもヘリコプターが移動しながら飛んでいるような感じとなる。【００２０】  その他、この直立回転軸１２の動きをもとにした人形や玩具などはいくらでも開発可能で、それらをセットとして準備し、交換して利用することも可能である。
【産業上の利用可能性】
【００２１】
【図面の簡単な説明】
【００２２】
【図１】本考案の実施例を示した一部切欠きした斜面図である。
【図２】本考案の実施例を示した斜面図である。
【符号の説明】
【００２３】  １  箱型車
２  前車輪
３  後車輪
４  車軸
５  操作突起
６  支点軸
７  シーソー
８  後端
９  前端
１０  模型
１１  音響板
１２  直立回転軸
１３  ゴムベルト
１４  押し手
１５  人形
１６  ヘリコプター機体
１７  プロペラ
１８  回転軸
【図１】
0003139826.tif 000003
【図２】
0003139826.tif 000004